(57)【要約】アイロン台は、可動フレーム（18）によって囲まれている壁に固定引き込み式フレーム（12）を備えるアイロン装置。最初の位置では、観賞用のフロントに表示されているアイロン台が収納されて壁に取り付けられた、第2の位置で、フロント部分が後退され、アイロンボードが可視化される。を最初のピボットは、約90°の角度でピボットアイロン台に使用され、縦軸を形成する壁に固定されたフレームのハイとローのNH NH右端または左端を有することを意味する第二に、それが見えるようになるように旋回するアイロン台を可能にするために縦軸（20）を形成する可動フレームの水平部の中央に位置する2つのヒンジ。第二回動手段は、垂直位置から水平位置への第2の位置にあるアイロン台を変更するために使用される。【選択図】図３Ｂ
2014507211.tif 000002
【特許請求の範囲】
【請求項１】
アイロン洗濯用リトラクタブルデバイスアイロンスチームアイロンは、壁に固定されたフレーム（12）を含む、アイロンボードがアイロンがけ面（31）を有す る後部から構成された空洞（14）を形成し、装飾的な面やミラーを形成する後部と一体のフロント部分（10）、アイロンボードは、前記第一の位置をとるこ とができると述べ、一部は壁と背面部に取り付けられ、フロントフレームが引き込まれると述べたに表示されていると述べたおよび第2の位置前記部分が？？後 退前方前記壁に取り付けられたフレームが前記後方部はで表示される、前記第備えた装置が移動するように旋回台が第1の位置から第2の位置に前記手段とその 逆の、第二ピボットが移動することを意味し、ユーザーのためのコンソールが使用するように垂直位置から水平位置に2番目の位置にあるアイロンボードは、ア イロン面が前記;
前記装置は、
アイロンボードが右端またはに添付左端にハイとローヒンジヒンジを通じて旋回可能枠（18）内で移動可能であると述べた枠壁は言った、ボードは言ったことができ反時計回りに時計回りに旋回する（またはその逆）へのボードには、約90°の角度で縦軸と言って、
最初のピボット手段がまずの水平部分のそれぞれに位置ヒンジ高低ヒンジを備える中央に可動フレームとそれぞれが言った、成形、縦軸（20）に前記ピボット ヒンジでアイロンボードを時計回りの方向（またはその逆）は、よう言ったの後部に見えるようにアイロン面を有するアイロンボード
を特徴とする。
【請求項２】
請求項1に記載の装置において、前記第二枢動手段はように可動フレーム（18）を残すように前記アイロンボードを利用し、それぞれの側で、その確保の前記下 部に2つのヒンジの部分によって構成されていると述べたアイロン台はそれに90°、そして第二に保持するように取り付けブラケットを回転させることによ り、携帯電話のフレームとキャストは、水平位置にアイロンボードをする二つのアーム（24と26）で構成され、前記下端（28と30）の下部にサポートされている可動フレームが言った。
【請求項３】
下方に位置するピ ンが摺動自在に各溝内に保持され、前記の2つのアーム（24,26）は、キャリア・コンソールは、各上端部に端子を有する、請求項1に記載の装置（32お よび34）アイロンボード前記アイロン台は、それが水平位置でブロックされるように、90°回転であるとき、との終わりに到達し、溝を語った。
【請求項４】
穴は溝前記に位置する（32および34）および式中、s 'が導入されることを特徴とする、請求項3に記載の装置は、有効にするように付勢バネ板を前記（24及び26）のピンが脚部の前記上端に横たわっている前記その作業位置に休ませる水平ボード。
【請求項５】
デバイスは、このような器具鉄（36）および/またはブラシなどのボードを特徴とする請求項1〜4のいずれかに記載の末尾に空洞内の後退位置にあり、近隣にアイロンボードは言った壁。
【請求項６】
さらに用具アイロンの蒸気を前記導管によって接続された蒸気発生器のリザーバーを含む、請求項5に記載の装置。
【請求項７】
器具は、ハンドル（40）及び（42）ソールを含む基板鉄である請求項5又は6に記載の装置は、鉄が引っ込められたときに対して折り畳まれるハンドルのフランジを特徴とする。
【請求項８】
請求項7に記載の装置であって、前記ハンドル（40）がロックばね（52）によって所定の位置に保持されたスライドロックボタン（44）を備え、前記軸 （45）周りの回転で前記押ボタンをその端部（56）は使用位置と反対折り畳まれたハンドルをロックするのに適した第二のロックノッチ（50）がハンドル をロックするように適合された第1のロックノッチ（49）を有するカムによってブロックされたときに前記フランジ鉄は引き込まれる。
【請求項９】
装置は、請求項5又は6において、前記器具は、機械ボードをドラッグし、迅速アイロンを実行することを可能にするように、ハンドルへの利用者のおかげにより、ブラシ基板の実装である。
【請求項１０】
前記蒸気導管を通って蒸気発生器のリザーバーを含み、そして、請求項5に記載の装置は、アイロン台は、その回転の推進する第1の方向にファン（38,39） を備え、前記外向きの蒸気からの蒸気は、蒸気ラインボードを言った上に置かマシンを介して言ったように。上向きにアイロンボードをと言った。
【請求項１１】
第2の方向にファンの回転速度（38、39）は、上から下に向かう空気の流れが機械を前記基板を平坦化を助けるための吸引力を生じさせることができることを 特徴とする請求項10に記載の装置ボードをアイロン台と大幅器具ボードがマシンに搭乗すると言わの作用を促進する、空気の排出とアイロン台が通過吸い込ま 述べた。
【発明の詳細な説明】
【技術分野】
【０００１】
本発明は、アパーやホテルに設置されリトラクタブルユーティリティオブジェクトに係り、特に、引き込み式デバイスボードと鉄に関する。
【背景技術】
【０００２】
それに関連付けられているアイロンとアイロン台は、頻繁に主婦を使用しています家の中で欠かせない日常のオブジェクトの一部です。しかし、そのような蒸気の使用などの改善にもかかわらず、アイロン職業は常にツールの困難な実装与えられた雑用です。確かにそれはしばしば混雑クローゼットのボードを取り外し、それをインストールすることが面倒です。作業が完了したとき、彼は、最終的には、鉄を求める電源を接続する必要があり、それが他の方向にすべての上に、もう一度する必要があります。
【０００３】
市場にされている一部の製品は最近、クローゼットやボードを内部に持っている。これらは、かさばる見苦しいと非常に機能的であるという欠点を持っている。使用中に開いたままクローゼットなどの扉上の彼の仕事のユーザーを妨害。
【０００４】
一緒に格納式アイロン服はＧＢ−Ａ−２３８９３７２に記載されています。このアセンブリは、アイロン台のアイロンがけ面と装飾面又はミラーを形成する後方部分と一体前方部を有する後部から構成されている壁に固定されたフレームを備えている。プレートは、フロント部分が可視であることを特徴とする第1の位置と後部と前部が後退し、後方部分が可視化される前記第二の後退位置をとることができる。これを行うために、後方部分は、ピボットを第1の位置から第2の位置にアイロン台を通過するように構成さ、位置、垂直位置から第2位置にアイロン台を通過させる手段とアイロン面を使用するユーザーのためのコンソールとして水平。
【０００５】
ＧＢ７６５１０５は、フレーム壁に取り付け、アイロンボードがありますが、空洞が閉じたときにアイロン台を隠し扉によってブロックされている空洞を形成を備える引き込み鉄を開示している。以 前の文書とは異なり、この文書に記載されているアイロン台は、装飾面とミラーを形成後部に固定前方部が含まれていない、フロントフレームワークセット内に 表示される第1の位置を取ることができない壁及び後部が後退し、フロント部が後退され、後部が装着壁に可視化される第二の位置。
【０００６】
アイロンボードを利用すると、アイロン面と装飾的な表面またはミラーを形成する後部と一体のフロント部分を有する後部部分を含むＥＰ２１６７７２１に引き込み式のアセンブリが改善されましたが開示されている。プレートは、フロント部分が壁と後部が収納され、フロント部分が後退され、後部がフレームに可視化されることを特徴と第2の位置に取り付けられたフレームに表示されている前記第一の位置をとることができる。第一回動手段、第1の位置から第2位置及びその逆にアイロンを増やすことができ、第二揺動手段垂直位置、第2位置にあるアイロン台を増やすことができアイロン面を使用するユーザーのためのコンソールとして水平位置に枠内。第 一回動手段が後方部付近と特定のアイロン面でフレームを支持するキャリッジで形成され、キャリッジは、両方の上を転動する車輪により、一方の側から他方の フレームに横方向に移動されるガイドレールの他方はように第1位置から第2位置及びその逆へのアイロン台を移動させる。
【０００７】
したがって、上述したアセンブリは、このようなキャリッジの開閉を確実にするために横方向に移動し、車輪が、それは非常に壊れやすいなる直線運動を確保するために付勢されているような機械的な回転部を備えるや早期摩耗を受ける。また、キャリッジが厳しくフレーム内のアイロン台の下で使用可能な領域が制限され、高さ、幅ともに重要な場所をとります。このセットのもう一つの欠点は、かさばって重いことと、全体の幅に対する基板の幅の比が小さいフットプリントを許可しない。
【発明の概要】
【発明が解決しようとする課題】
【０００８】
したがって、本発明の目的は、アイロン台と容易にミラーや表の外観を有する壁に対して後退することができ、鉄から成る装置を提供することであるまた、アイロン台に専念床面積を減らし、機械的回転部品を必要とせずにすぐに機能するために迅速に展開。
【０００９】
本発明の目的は、アイロン台移動枠に囲まれており、表面基板を有する後部分を含むとが存在しているフレームに取り付けられた壁を含む衣類をアイロンがけするためのデバイスであるリトラクタブル鏡面や装飾を形成する後部と一体前部。前部壁に取り付けられたフレーム内に表示され、後端部が後退され、前方部が前記第二位置が後退され、後部が貫通可視化されることを特徴とアイロン台は、第1の位置をとることができる壁は、マウントされた。装置は、第1の位置から第二の位置及びその逆にアイロンを通過させる手段と旋回し、第二回動は、垂直位置から第2位置にアイロン台を通過させるための手段アイロン面を使用するユーザーのためのコンソールとして水平方向へ。第 一回動手段は、片手で旋回するように壁に固定され、可動フレームを可能にする垂直軸を形成し、アイロン台のフレームの右端または左端にハイとローの2つの ヒンジに含む可視アイロン台を作るように約90°の角度で鉛直軸回りに（またはその逆）反時計回りに時計方向に、他の2つは、ハイとローのヒンジを含む可 動フレームの水平部の各々において、アイロン板はそれぞれに見えるアイロン台を作るために時計回りの方向（またはその逆）に回転することができ、縦軸を形 成する中間に位置壁に取り付けフレーム。
【００１０】
目的、および本発明の特徴は、添付の図面を参照しながら以下の説明を読めば明らかになるであろう。
【図面の簡単な説明】
【００１１】
【図１】本発明に係るデバイス基板と鉄を示しており、目に見える装飾用のパーティを残す後退。
【図２Ａ】アイロン台見えるように回動の連続相を示す。
【図２Ｂ】アイロン台見えるように回動の連続相を示す。
【図２Ｃ】アイロン台見えるように回動の連続相を示す。
【図２Ｄ】アイロン台見えるように回動の連続相を示す。
【図３Ａ】操作位置にアイロンがけ面を配置する回転の連続相を示す。
【図３Ｂ】操作位置にアイロンがけ面を配置する回転の連続相を示す。
【図４】使用する準備が鉄の斜視図を示す。
【図５】使用位置および休止位置における鉄のハンドルの断面図を示す。
【発明を実施するための形態】
【００１２】
図1を参照すると、アイロン台は、第1の位置、例えば、壁に固定フレーム12の内側にミラーやテーブルなどの装飾面である前面部10に備える。
【００１３】
前部の後ろ、後部が上に置かれた布に水蒸気ジェットを放送するために穴のあいたチューブを組み込んだようなアイロンブラシなどの近代的なデバイスに関連付けられているアイロン台、スチームアイロンによって形成されているボード。
【００１４】
後述するように、意匠面又はミラーが表示されている場合は、後部フレーム12の壁の内側キャビティ内に引き込まれる。
【００１５】
図2A、2B、2C、2Dは、背中の実施の位相を示している。図2Aを参照すると、デバイスのアイロン台は旋回によるキャビティのうち最初のものである。これを行うために、基板が解除されるアイロン台の周囲に可動フレーム18を出て、フレームが先頭に2つのヒンジ（図示せず）を中心に時計回りと逆方向に回転され、キャビティ14の底部に、垂直旋回軸を構成する2つのヒンジ。まず、基板はわずかな圧力がアイロン台に作用したとき、任意の適切な解放機構により空洞にロック保持することができる。
【００１６】
2つのヒンジは、図示の実施形態ではフレーム12の右側に配置されているが、それらはキャビティ内に残されてもよいことに留意されたいとせずに時計回りの方向にプレートの枢動原因1本発明の範囲を越えて。
【００１７】
アイロン台を含むフレーム18は、図2（b）に示すように90°、アイロン台を含む後方部分約22回転させたときに表示されているとアイロン台の下部23を示しています。
【００１８】
図2Cに示される次のアクションは、可動フレームの水平部の各々にそれぞれ配置された2つの上部及び下部ヒンジによって形成された垂直軸20回りに時計台の方向に回転することである18と中間インチ。
【００１９】
図2D、アイロン台を含むデバイスの22が前面にある後部に示されているようにアイロン台を回転させて90度以上だったとき。次のアクションは、フレーム18がその移動のアイロン台を引き起こし、フレームを包囲しながらキャビティ14内に配置されてしまい、キャビティ14内にフレーム18を減少させる旋回運動であるモバイル18。操作の完了時に上記のように、デバイス23の後端部22は、アイロン台の下を示すと言うことですフロント部分の場所、装飾面やミラーを撮影しています。これらの操作の過程で、アイロン台が180°回転であることに注意してください。
【００２０】
上述したように台が可視化される場合には、図3Aおよび図3Bに示すように、位相コンソールとして実装される。これは、フレームボードのボードを作ることであるとアイロン台、各側の下部に2つのヒンジ（図示せず）と90度回動させることにより折り畳まれ、フレームに取り付けられている18。
【００２１】
図3Aに示す水平位置にアイロン台を保持するように適合支持コンソールは、二つの脚部24と端部28 26及び30を有するフレーム18の下部に支持されている。回転させ、図3（a）に示すように、アイロン面は、摺動可能アイロン台の下に配置各溝32,34に保持されたピンが設けられ、その上端部を有する支持片の二つのブランチは、周囲で枢動すること2ラグ下端ブラケットサポートの28と30に位置しています。
【００２２】
基板の90°回転した後、その最終的な位置、上方に位置アイロンがけ面31で水平位置を取る。2支店サポートコンソールの24および26の端部が溝32および34の両端にそれぞれ達したため、この位置に到達し、アイロン台が停止します。
【００２３】
我々はこのようなピンは、アイロン台を可能にする24および26ばね装填枝の末端に導入された溝32および34の孔ブロッキングとしての手段を提供することができることに注意その作業位置で停止するまで水平位置。
【００２４】
図3Bに示すように、折り畳み位置にあるハンドル40が設けられて鉄36としての用具基板は、壁の近くにアイロンがけ面の端部に空洞部37内の後退位置にある。後退位置に、ハンドル40が唯一の42の位置に隣接折り畳まれることに注意してください。
【００２５】
上述したように、鉄36は、スチームアイロンである。プレートは、アイロン掛けされるべき洗濯物を通る蒸気を循環させるために適合ゲートは、その表面に設けられている。
【００２６】
このシステムはまた、すなわち、改善をアイロンの最新の利用が組み込まれています。
【００２７】
蒸気が通過するように外側にシートからとボトムアップからの蒸気を推進するために、1つの方向に回転することができます1 /プレートはファン38と39を備えているが、マシンはボード上に置か述べた。これを行うために基板は、蒸気を生成する蒸気加熱装置（図示せず）のリザーバーにダクトにより接続されている。
【００２８】
2 /逆方向にファン38および39を回転させることにより、空気の流れを下方に向け、及びアイロン台上にアイロン掛けする洗濯物を平坦化するために吸引力が発生しており、非常に容易になるスチームアイロンの蒸気ダクトのやボードマシンにアクション。この関数では、プレートは吸入空気の排出手段が設けられている。
【００２９】
また、道具のサービングボードは蒸気を作り出すタンクヒーターに接続蒸気管の先端に接続あきチューブを組み込むブラシです。このブラシは、ボード上に置かれ、マシンボードをドラッグするために、ハンドルを持つユーザーによって実装されます。マシン上のブラシによって放出された水蒸気フラックスの排出は、高速アイロンを可能にします。
【００３０】
タンクヒーターの接続とアドホックデバイスまたはあきチューブを組み込む鉄蒸気やブラシを通して瞬時に切断することができます。
【００３１】
別の実施形態では、タンクヒーターは基板の端に統合され、ボードのもう一方の端（四捨五入部分）されて鉄とブラシを保存することができます空洞37を統合しています。
【００３２】
蒸気管に加えて、電気ケーブル、鉄への電力供給を確保し、トランスミッションは、アイロンに有用なすべての機能を制御する。
【００３３】
ユーザが鉄36を使用したい場合、まず、図4に示した使用位置にハンドル40を配置する必要があります。図5の点線で示されたハンドル位置は、水平位置にロックされる。このロックは、軸の周りの回転をロックし、そのうちの端部46までの位置にハンドル49をロックする第1ロックノッチを有するカム48によって遮断されるための押しボタン44によって達成されるそして休止位置にハンドルをロックするための第二係止凹部50を用いる。プッシュボタンは、ばね52によってロック位置に保持される。ロックを解除するには、単にユーザーがボタンとリリース44とロックノッチの端部46を押します。
【００３４】
ハンドル40は、カム56により凹部から分離ラッチフック54と、そのベースである。ユーザーがロックノッチ49の先端46をクリアするために、プッシュボタン44を押した後、静止位置（破線）でハンドルを回すとき、ハンドルはその軸約58回転90°である。図5に示すように、この回転中に、スタッド状の固定された円弧60は、凹部56に入る。プッシュボタン44を解放した後、端部46が係止ノッチ50と係合する。その際、鉄は完全に凹部56内に固定ピン60によって固定され、ハンドルが水平水平位置にロックされる。
【００３５】
上述した装置リトラクタブル台とその付属品は多くの利点を有する。すでにEP 2167721に記載された利点に加えて、それは、この文書で説明するリトラクタブルアセンブリ上で、機械的な回転部品を含まないという利点を有しており、床面積比を有するはるかに大きな枠組みに対してアイロン台。
【符号の説明】
【００３６】
１０  前面部
１２  フレーム
１４  キャビティ
１８  フレーム
２０  垂直軸
２３  デバイス
３２  溝
３４  溝
３７  空洞部
３８  ファン
３９  ファン
４０  ハンドル
４６  端部
４８  カム
４９  ハンドル
５２  ばね
【先行技術文献】
【特許文献】
【００３７】
【特許文献１】英国特許出願公開第２３８９３７２号
【特許文献２】英国特許第７６５１０５号
【特許文献３】欧州特許第２１６７７２１号
【図１】
2014507211.tif 000003
【図２Ａ】
2014507211.tif 000004
【図２Ｂ】
2014507211.tif 000005
【図２Ｃ】
2014507211.tif 000006
【図２Ｄ】
2014507211.tif 000007
【図３Ａ】
2014507211.tif 000008
【図３Ｂ】
2014507211.tif 000009
【図４】
2014507211.tif 000010
【図５】
2014507211.tif 000011
【国際調査報告】
2014507211.tif 000012
2014507211.tif 000013
2014507211.tif 000014
2014507211.tif 000015